(57)【要約】  本発明は、虹彩認識カメラで虹彩イメージを撮影する際に、虹彩が生きている人間のものかどうかを判断するために虹彩認識カメラの前面または一側にIR LED照明と周りの照度を変化させるための照明を設置して、周囲の照度変化による虹彩と瞳孔の大きさの比率変化と、虹彩及び/又は瞳孔に現れるIR LEDの個数または位置変化、目の瞬きによる虹彩イメージ領域の変化及び凝視方向の変化のいずれか一つ以上を用いて、虹彩が生きている人間のものであるかどうかを判断する、生きている人間の目の識別方法及び装置に関する。
2016504660.tif 000002
【特許請求の範囲】
【請求項１】
生きている人間の目の識別方法において、
虹彩認識カメラに設置された照明を、設定された周期でオン/オフしながら虹彩を撮影する段階；
撮影された虹彩イメージから虹彩と瞳孔の大きさの比を計算する段階；及び
虹彩と瞳孔の大きさの比が変化したときに生きている人間の目であると判断する段階
を含む生きている人間の目の識別方法。
【請求項２】
生きている人間の目の識別方法において、
虹彩認識カメラに設置されたIR LED照明を設定された周期でオン/オフしながら虹彩を撮影する段階；
撮影された虹彩イメージから虹彩または瞳孔に反射されたIR LEDを認識する段階；
及び
虹彩または瞳孔に反射されたIR LEDの個数変化または位置の変化を認識して生きている人間の目であるかどうかを判断する段階を含む生きている人間の目の識別方法。
【請求項３】
生きている人間の目の識別方法において、
虹彩認識カメラに設置された案内LEDまたは音声案内機を用いてユーザに目の瞬きを誘導しながら虹彩を撮影する段階；
撮影された虹彩イメージの虹彩領域の変化を計算する段階；及び
虹彩領域の変化があった場合に生きている人間の目であると判断する段階を含む生きている人間の目の識別方法。
【請求項４】
生きている人間の目の識別方法において、
虹彩認識カメラに設置または内蔵された案内LEDまたは音声案内機を用いてユーザに凝視方向の動きを誘導しながら虹彩を撮影する段階；
撮影された虹彩イメージから凝視方向の変化を計算する段階；及び
凝視方向の変化があった場合に生きている人間の目であると判断する段階を含む生きている人間の目の識別方法。
【請求項５】
請求項１において、前記生きている人間の目の識別方法は
虹彩認識カメラに設置されたIR LED照明を設定された周期でオン/オフしながら虹彩を撮影する段階；
撮影された虹彩イメージから虹彩または瞳孔に反射されたIR LEDを認識する段階；
及び
虹彩または瞳孔に反射されたIR LEDの数の変化または位置変化を認識して生きている人間の目であるかどうかを判断する段階をさらに含む生きている人間の目の識別方法。
【請求項６】
請求項１において、前記生きている人間の目の識別方法は
虹彩認識カメラに設置された案内LEDまたは音声案内機を含む外部信号発生装置を用いてユーザに目の瞬きを誘導しながら虹彩を撮影する段階；
撮影された虹彩イメージの虹彩領域の変化を計算する段階；及び
虹彩領域の変化があった場合に生きている人間の目であると判断する段階をさらに含む生きている人間の目の識別方法。
【請求項７】
請求項１において、前記生きている人間の目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された虹彩イメージから凝視方向の変化を計算する段階；及び
凝視方向の変化があった場合に生きている人間の目であると判断する段階をさらに含む生きている人間の目の識別方法。
【請求項８】
請求項２において、前記生きている人間の目の識別方法は
虹彩認識カメラに設置された案内LEDまたは音声案内機を含む外部信号発生装置を用いてユーザに目の瞬きを誘導しながら虹彩を撮影する段階；
撮影された虹彩イメージの 虹彩領域の変化を計算する段階；及び
虹彩領域の変化があった場合に生きている人間の目であると判断する段階をさらに含む生きている人間の目の識別方法。
【請求項９】
請求項２において、前記生きている人間の目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された虹彩イメージから凝視方向の変化を計算する段階；及び
凝視方向の変化があった場合に生きている人間の目であると判断する段階をさらに含む生きている人間の目の識別方法。
【請求項１０】
請求項３において、前記生きている人間の目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された虹彩イメージから凝視方向の変化を研鑽する段階；及び
凝視方向の変化があった場合に生きている人間の目であると判断する段階をさらに含む生きている人間の目の識別方法。
【請求項１１】
請求項５において、前記生きている人間の目の識別方法は
虹彩認識カメラに設置された案内LEDまたは音声案内機を含む外部信号発生装置を用いてユーザに目の瞬きを誘導しながら虹彩を撮影する段階；
撮影された虹彩イメージの虹彩領域の変化を計算する段階；及び
使用可能な虹彩領域の変化があった場合に生きている人間の目であると判断する段階をさらに含む生きている人間の目の識別方法。
【請求項１２】
請求項５において、前記生きている人間の目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された虹彩イメージから凝視方向の変化を計算する段階；及び
凝視方向に変化があった場合に生きている人間の目であると判断する段階をさらに含む生きている人間の目の識別方法。
【請求項１３】
請求項６において、前記生きている人間の目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された 虹彩イメージから凝視方向の変化を計算する段階；及び
凝視方向に変化があった場合に生きている人間の目であると判断する段階をさらに含む生きている人間の目の識別方法。
【請求項１４】
請求項８において、前記生きている目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された虹彩イメージから凝視方向の変化を計算する段階；及び
凝視方向に変化があった場合に生きている人間の目であると判断する段階をさらに含む生きている人間の目の識別方法。
【請求項１５】
請求項１１において、前記生きている人間の目の識別方法は
虹彩認識カメラに設置または内蔵された案内LEDまたは音声案内機を含む外部信号発生装置を用いてユーザに凝視方向の動きを誘導しながら虹彩を撮影する段階；
撮影された虹彩イメージから凝視方向の変化を計算する段階；及び
凝視方向に変化があった場合に生きている人間の目であると判断する段階をさらに含む生きている人間の目の識別方法。
【請求項１６】
請求項２、５、８、９、１１、１２、１４及び１５のいずれが一項において、前記生きている人間の目の識別方法は、虹彩及び瞳孔に反射されたIR LEDの数の変化の認識が虹彩イメージのフレームから虹彩及び瞳孔に反射されたIR LEDの数が反復的に変わるのかを確認することでなされることを特徴とする生きている人間の目の識別方法。
【請求項１７】
請求項２、５、８、９、１１、１２、１４及び１５のいずれか一項において、前記生きている人間の目の識別方法は、虹彩及び瞳孔に反射されたIR LEDの数の変化の認識が虹彩イメージのフレームから虹彩及び瞳孔に反射されたIR LEDの数がIR LED照明がオン/オフするように設定された周期と同期化して変わるのかを確認することでなされることを特徴とする生きている人間の目の識別方法。
【請求項１８】
請求項２、５、８、９、１１、１２、１４及び１５のいずれか一項において、前記生きている人間の目の識別方法は、虹彩及び瞳孔に反射されたIR LEDの位置変化の認識が虹彩イメージのフレームから虹彩及び瞳孔に反射されたIR LEDの位置が左または右または左右両側が繰り返して変わるのかを確認することでなされることを特徴とする生きている人間の目の識別方法。
【請求項１９】
請求項２、５、８、９、１１、１２、１４及び１５のいずれか一項において、前記生きている人間の目の識別方法は、虹彩及び瞳孔に反射されたIR LED位置変化の認識が虹彩イメージフレームから虹彩及び瞳孔に反射されたIR LEDの位置が左または右または左右両側にIR LED照明がオン/オフするように設定された周期と同期化して現れるのかを確認することでなされることを特徴とする生きている人間の目の識別方法。
【請求項２０】
請求項２、５、８、９、１１、１２、１４及び１５のいずれか一項において、前記生きている人間の虹彩識別方法は、IR LED照明を駆動するための信号で、規則的または不規則的周期を有するパルスを供給することを特徴とする生きている人間の目の識別方法。
【請求項２１】
請求項２０において、前記生きている人間の虹彩識別方法は、IR LED照明を動作させるためのパルス信号の周期と虹彩イメージフレームから虹彩及び瞳孔にIR LEDが反射されたイメージ周期を比較して生きている人間の虹彩であるかどうかを判断するか、IR LED照明に供給されるパルス信号のオン時間と撮影された虹彩イメージフレームから測定されたIR LEDのオン時間とを互いに比べて、同一である場合生きている人間の虹彩であると判断することを特徴とする生きている人間の目の識別方法。
【請求項２２】
虹彩認識カメラを用いた生きている人間の目の識別装置において、
虹彩イメージを受け入れるためのカメラレンズ；
虹彩認識カメラに設置され、周囲の照度を変更して瞳孔の大きさを変化させるために設定された周期でオン/オフするための照明；及び
虹彩認識カメラに設置され虹彩または瞳孔に反射されたIR LEDが現れるように設定された周期でオン/オフするためのIR LED照明で構成し、虹彩認識カメラで撮影した虹彩イメージを用いて周囲の照度変化による虹彩と瞳孔の大きさの比率変化要否、または虹彩及び瞳孔に反射されたIR LEDの数の変化または位置変化要否を認識して生きている人間の虹彩であるかどうかを判断する手段を備え、
虹彩認識カメラで撮影した虹彩イメージを用いて周囲の照度変化による虹彩と瞳孔の大きさの比率変化と虹彩及び瞳孔に反射されたIR LEDの数の変化または位置変化要否を同時に用いて生きている人間の虹彩であるかどうかを判断する手段を備えた生きている人間の目の識別装置。
【請求項２３】
請求項２２において、生きている人間の目の識別装置は、目の瞬きによる虹彩領域の変化と凝視方向変化による生きている人間の目であるかどうかを判断するための案内LEDまたは音声案内機で構成された外部信号発生装置をさらに備えた生きている人間の目の識別装置。
【請求項２４】
請求項２２または２３において、生きている人間の目の識別装置は、虹彩イメージフレームから虹彩及び瞳孔に反射されたIR LEDの数が反復的に変わるのかを確認することで、虹彩及び瞳孔に反射されたIR LEDの数の変化を認識することを特徴とする生きている人間の目の識別装置。
【請求項２５】
請求項２２または２３において、生きている人間の目の識別装置は、虹彩イメージフレームから虹彩及び瞳孔に反射されたIR LEDの数がIR LED照明がオンまたはオフされるように設定された周期と同期化して変わるのかを確認することで虹彩及び瞳孔に反射されたIR LEDの数の変化を認識することを特徴とする生きている人間の目の識別装置。
【請求項２６】
請求項２２または２３において、生きている人間の目の識別装置は、虹彩イメージフレームから虹彩及び瞳孔に反射されたIR LEDの位置が左または右または左右両側に反復的に変わるのかを確認することで、虹彩及び瞳孔に反射されたIR LEDの位置変化を認識することを特徴とする生きている人間の目の識別装置。
【請求項２７】
請求項２２または２３において、生きている人間の目の識別装置は、虹彩イメージフレームから虹彩及び瞳孔に反射されたIR LEDの位置が左または右または左右両側にIR LED照明がオンまたはオフされるように設定された周期と同期化して現れるのかを確認することで、虹彩及び瞳孔に反射されたIR LEDの位置変化を認識することを特徴とする生きている人間の目の識別装置。
【請求項２８】
請求項２２または２３において、前記生きている人間の目の識別装置は、IR LED照明を駆動するための信号で、規則的または不規則的な周期を有するパルスを供給することを特徴とする生きている人間の目の識別装置。
【請求項２９】
請求項２８において、生きている人間の目の識別装置は、IR LED照明を動作させるためのパルス信号の周期と虹彩イメージフレームから虹彩及び瞳孔に反射されたIR LEDの周期を比較して生きている人間の虹彩であるかどうかを判断するか、またはIR LED照明に供給されるパルス信号のオン時間と撮影された虹彩イメージフレームから測定されたIR LEDのオン時間と互いに比較して同一である場合、生きている人間の虹彩であると判断することを特徴とする生きている目の虹彩であると判断することを特徴とする生きている人間の目の識別装置。
【請求項３０】
請求項２８において、前記生きている人間の目の識別装置は、IR LED照明をオンするためのパルスの周期が虹彩認識カメラで撮影した虹彩イメージフレームより長く形成することを特徴とする生きている人間の目の識別装置。
【発明の詳細な説明】
【技術分野】
【０００１】
本発明は虹彩認識カメラで虹彩イメージを撮影する際に、虹彩が生きている人間のものかどうかを判断するために虹彩認識カメラの前面または一側にIR LED照明と周りの照度を変化させるための照明を設置して、周囲の照度変化による虹彩と瞳孔の大きさの比率変化と、虹彩及び/又は瞳孔に現れるIR LEDの個数または位置変化、目の瞬きによる虹彩イメージ領域の変化及び凝視方向の変化のいずれか一つ以上を用いて、虹彩が生きている人間のものであるかどうかを判断する、生きている人間の目の識別方法及び装置に関するものである。
【背景技術】
【０００２】
虹彩認識技術が個人情報保護及びセキュリティとあいまって広く用いられるようになるにつれて、プリントされた虹彩イメージ、虹彩イメージ画像、目の模型、虹彩パターンの印刷されたコンタクトレンズなど、偽造のものでハッキングされる恐れがあり、生きている人間の目と偽造のものを識別する技術の重要性が大きくなりつつある。
従来の技術では、韓国公開特許公報  第１０−２０００−００６１０６５号で２つの照明を用いて虹彩イメージを獲得しており、２つの照明のうち１つをオン/オフしてカメラで獲得した虹彩イメージに反射された映像が現れるかどうかを判断して生きている人間の目であるかどうかを判断する方法に対する技術的事項が開示されているが、目の偽造者が反射が起きる位置を予め突き止め、その位置に反射映像をつけた偽造した目、例えば、目を印刷した紙、模造の目などをカメラの前に置く場合、虹彩認識システムがこれを生きている人間の目であると誤って判定してしまう可能性が依然として存在する。
【発明の概要】
【発明が解決しようとする課題】
【０００３】
本発明の技術的課題は虹彩認識カメラで撮影する際に、虹彩が生きている人間のものであるかどうかを判断するために、通常の虹彩認識カメラの前面または一側にIR LED照明と周りの照度を変化させるための照明を設置して、周囲の照度変化による虹彩と瞳孔の大きさの比率変化と、虹彩及び/又は瞳孔に現れるIR LEDの個数または位置変化、目の瞬きによる虹彩イメージ領域の変化及び凝視方向の変化のいずれか一つ以上を用いて、虹彩が生きている人間のものであるかどうかを判断する生きている人間の目の識別方法及び装置を提供することにある。
【０００４】
本発明のもう一つの技術的課題は、虹彩イメージを撮影するための照明として、あるいは虹彩及び/又は瞳孔にIR LEDの反射イメージを作るために用いるIR LED照明を駆動するための信号で、規則的にまたは不規則な周期を有するパルスを供給しながら、虹彩イメージを撮影する間にIR LED照明に供給されたパルスの周期と虹彩イメージから計算された虹彩及び/又は瞳孔にIR LEDが反射された虹彩イメージの周期を比較して、一致する場合に虹彩が生きている人間のものであると判断することにある。
【課題を解決するための手段】
【０００５】
本発明の技術的解決方法は、虹彩認識カメラの前面または一側に設置された照明を設定された周期でオン/オフしながら虹彩を撮影する段階と、撮影された虹彩イメージから虹彩と瞳孔の大きさの比を計算する段階と、その結果、虹彩と瞳孔の大きさの比率が変化したときに生きている人間の目であると判断する段階を含む、生きている人間の目の識別方法を提供することにある。
【０００６】
本発明のもう一つの技術的解決方法は、虹彩認識カメラの前面または一側に設置されたIR LED照明を設定された周期でオン/オフしながら虹彩を撮影する段階と、撮影された虹彩イメージから虹彩及び/又は瞳孔に反射されたIR LEDを認識する段階と、虹彩及び/又は瞳孔に反射されたIR LEDの個数変化または位置変化を計算して、生きている人間の目であると判断する段階を含む、生きている人間の目の識別方法を提供することにある。
【０００７】
本発明のもう一つの技術的解決方法は、カメラの前面に設置された案内LED（Indicator LED）及び/又は案内音を発生する音声案内機を含む外部信号発生装置を用いてユーザに目の瞬きを誘導しながら虹彩を撮影する段階と、撮影された虹彩イメージの虹彩領域の変化を計算する段階と、その結果、虹彩領域に変化がある場合に生きている人間の目であると判断する段階を含む、生きている人間の目の識別方法を提供することにある。
【０００８】
本発明のもう一つの技術的解決方法は、カメラの一側に設置または内蔵された案内LED及び/又は音声案内機など、外部信号発生装置を用いてユーザに凝視方向の動きを案内し誘導しながら虹彩を撮影する段階と、撮影された虹彩イメージから凝視方向の変化を計算する段階と、その結果、凝視方向に変化がある場合に生きている人間の目であると判断する段階を含む、生きている人間の目の識別方法を提供することにある。
【０００９】
本発明のもう一つの技術的解決方法は、カメラの前面または一側に設置された照明を設定された周期でオン/オフしながら虹彩を撮影する段階と、撮影された虹彩イメージから虹彩と瞳孔の大きさの比を計算する段階と、その結果、虹彩と瞳孔の大きさの比率に変化がある場合に生きている人間の目であると判断する段階と、IR LED照明を設定された周期でオン/オフ(ON/OFF)しながら虹彩を撮影する段階と、撮影された虹彩イメージから虹彩及び/又は瞳孔に反射されたIR LEDを認識する段階と、虹彩及び/又は瞳孔に反射されたIR LEDの個数変化または位置変化を用いて生きている人間の目であるかどうかを確認する段階と、案内LED及び/又は案内音発生機など、外部信号発生装置を用いてユーザに目の瞬きを誘導しながら虹彩を撮影する段階と、撮影された虹彩イメージの虹彩領域の変化を計算する段階と、その結果、虹彩領域に変化がある場合に生きている人間の目であると判断する段階と、案内LED及び/又は案内音発生機など、外部信号発生装置を用いてユーザに凝視方向が動くように誘導しながら虹彩を撮影する段階と、撮影された虹彩イメージから凝視方向(Gaze Point)の変化を計算する段階と、その結果、凝視方向に変化がある場合に生きている人間の目であると判断する段階を含む、生きている人間の目の識別方法を提供することにある。
【００１０】
本発明のもう一つの技術的解決方法は、虹彩イメージを得るために虹彩イメージを受け入れるためのカメラレンズと、虹彩認識カメラの前面または一側にい設置され周囲の照度を変更して瞳孔の大きさを変化させるための設定された周期でオン/オフするように構成された照明と、虹彩認識カメラの前面または一側に設置されて虹彩及び/又は瞳孔にIR LEDが現れるように設定された周期でオン/オフするように構成されたIR LED照明に構成し、虹彩認識カメラで撮影した虹彩イメージを用いて周囲の照度変化による虹彩と瞳孔の大きさの比率変化または虹彩及び/又は瞳孔に現れるIR LEDの個数変化または位置変化を判断して生きている人間の目であるかどうかを判断する手段を備えるか、虹彩認識カメラで撮影した虹彩イメージを用いて周囲の照度変化による虹彩と瞳孔の大きさの比率変化と虹彩及び/又は瞳孔に現れるIR LEDの個数変化または位置変化を同時に判断する手段を備えた虹彩撮影カメラを用いた生きている人間の目の識別装置を提供することにある。
【００１１】
本発明のもう一つの技術的解決方法は、通常の虹彩認識カメラに目の瞬きによる虹彩領域の変化と凝視方向の変化による生きている人間の虹彩であるかどうかを判断するための案内LED及び/又は音声案内機など、外部信号発生装置を備えた生きている人間の目の識別装置を提供することにある。
【００１２】
本発明のもう一つの技術的解決方法は、虹彩認識カメラの前面に設置されたIR LED照明を駆動するために入力される信号で規則的または不規則的な周期を有するパルスを供給しながら、虹彩認識カメラで虹彩を撮影し、撮影された虹彩イメージから計算されたIR LEDが虹彩及び/又は瞳孔に反射された虹彩イメージ周期とIR LED照明に入力されるパルスの周期を比較して、生きている人間の虹彩であるかどうかを判断する生きている人間の目の識別装置を提供することにある。
【発明の効果】
【００１３】
本発明はカメラの前面または一側に設置された照明を用いて周囲の照度を変化させ、その変化による虹彩と瞳孔の大きさの変化比率、虹彩及び/又は瞳孔に現れるIR LEDの個数変化または位置が変化、目の瞬きによる虹彩領域の変化及び凝視方向が変化のいずれか一つ以上を用いて虹彩が生きている人間のものであるかどうかを判断して偽造されたものであるかどうかを正確に判断できる効果がある。
【００１４】
本発明のもう一つの効果は、虹彩イメージの撮影のための照明として用いるか、虹彩及び/又は瞳孔にIR LED反射された虹彩イメージを作るために用いるIR LED照明を駆動するための信号で規則的または不規則的な周期を有するパルスを供給しながら、虹彩イメージを撮影する間にIR LED照明に供給されたパルスの周期と虹彩イメージから計算された虹彩及び/又は瞳孔に反射されたIR LEDの周期を比較して、一致した場合に生きている人間の虹彩であると判断し、虹彩認識率を高めることにある。
【図面の簡単な説明】
【００１５】
【図１】本発明による虹彩認識カメラの一実施例であり、カメラの前面を図示したものである。
【図２】虹彩と瞳孔の形状を図示したものである。
【図３】本発明によって周囲の照度変化による瞳孔の大きさの変化を撮影したものである。
【図４】本発明による虹彩認識カメラのもう一つの実施例であり、カメラの前面を図示したものである。
【図５】IR LED照明が瞳孔に反射され現れる虹彩イメージを撮影したものであり、IR LEDが反射される位置と反射される照明の数を変化させて、虹彩が生きている人間のものであるかどうかを判断できることを示したものである。
【図６】IR LED照明を動作させるための信号であり、規則的な周期を有するパルスの波形を図示したものである。
【図７】IR LED照明を動作させるための信号であり、不規則的な周期を有するパルスの波形を図示したものである。
【図８】２つのIR LED照明を動作させるための信号であり、規則的な周期を有する各々のパルスの波形を図示したものである。
【図９】２つのIR LED照明を動作させるための信号であり、不規則的な周期を有する各々のパルスの波形を図示したものである。
【図１０】目の瞬きによる虹彩領域の大きさの変化を撮影したものである。
【図１１】目の瞬きに対する生きている人間の目と偽造された目の虹彩領域の変化を示したものである。
【図１２】凝視方向の差を撮影したものである。
【図１３】本発明による虹彩認識カメラのもう一つの実施例であり、カメラの前面を図示したものである。
【発明を実施するための形態】
【００１６】
本発明の実施のための最善の形態は、虹彩認識カメラの前面または一側に設置された照明を設定された周期でオン/オフしながら虹彩を撮影する段階と、撮影した虹彩イメージから虹彩と瞳孔の大きさの比を計算する段階と、その結果、虹彩と動向の大きさの比率が変化したときに生きている人間の目であると判断する段階を含む、生きている人間の目の識別方法を提供することにある。
【００１７】
本発明の実施のためのもう一つの最善の形態は、虹彩認識カメラの前面または一側に設置されたIR LED照明を設定された周期でオン/オフしながら虹彩を撮影する段階と、撮影した虹彩イメージから虹彩及び/又は瞳孔に反射されたIR LEDを認識する段階と、虹彩及び/又は瞳孔に反射されたIR LEDの個数変化または位置変化を計算して、生きている人間の目であると判断する段階を含む、生きている人間の目の識別方法を提供することにある。
【００１８】
本発明の実施のための具体的な内容を説明する。
【００１９】
各個人の固有な情報を有する虹彩を認識する技術が広く用いられるようになるにつれて、プリントされた虹彩イメージ、虹彩イメージ画像、目の模型、虹彩パターンの印刷されたコンタクトレンズなど、偽造のものでハッキングされる恐れがあり、生きている人間の目と偽造のものを識別する技術の重要性が大きくなりつつある。
【００２０】
本発明では虹彩が生きている人間のものであるかどうかを判断するために用いられる技術的構成は、周りの明るさによって瞳孔が開いたり閉じたりすることで、瞳孔と虹彩の大きさの比率が変化することを利用する。
【００２１】
また、目は曲面であり、光を反射する物質とからなるという点と、目の瞬き、凝視方向（視線）の変更など、目と目の周りの物理的な動きを感知して生きている人間の目であるかを判断することに利用する。
【００２２】
より具体的に、生きている人間の目は周りの明るさによって瞳孔が開いたり閉じたりして、瞳孔と虹彩の大きさの比率が変化するが、印刷された虹彩イメージ、虹彩イメージ画像、目の模型は周囲の照度が変わっても瞳孔が開いたり閉じたりしない。
【００２３】
これを用いて本発明では照明をオン/オフしながら瞳孔を閉じたり開かせたりして、瞳孔と虹彩の大きさの比率の変化を演算し、比率が変化する場合は生きている人間の目であり、そうでない場合には偽造された虹彩であると判断するように構成されている。
【００２４】
本発明は可視光線を用いた瞳孔と虹彩の大きさの比率の変化、IR LED照明を用いた虹彩及び/又は瞳孔に現れるIR LEDの個数変化または位置変化の測定、案内LED及び/又は音声案内機からの案内音など、外部信号を用いて目の瞬きを誘導して撮影された虹彩イメージにおいて虹彩領域が変化するかどうかを計算判断するか、ユーザが虹彩を撮影する際に凝視方向（視線）を動くように誘導しながら凝視方向の変化を計算する手段のいずれか一つ以上を用いて生きている人間の虹彩であるかどうかを判断するように構成されている。本発明による実施例をみてみよう。
【００２５】
＜実施例＞
本発明による実施例を図面に基づいて具体的に説明する。
【００２６】
以下、本発明による「虹彩認識カメラ」を略した「カメラ」との用語を混用し、これは同じ意味を持つ。図１は本発明による生きている人間の目を識別できる虹彩認識カメラ（図１の１１）の前面の形状を図示したものであり、前面の一側には照明（図１の１３）と、IR LED（図１の１４）が設置されている。
【００２７】
つまり、本発明による生きている人間の目を認識できる虹彩認識カメラ（図１の１１）は、通常の虹彩認識のために用いられるカメラの前面に生きている人間の虹彩であるかどうかを判断するために必要とする照明（図１３）とIR LED（図１４）が追加で設置された構成である。
【００２８】
ユーザの目の瞬きを誘導するために、必要であれば案内LED及び/又は案内音を発生する音声案内機など、外部信号発生装置をさらに設置することができる。
【００２９】
図２は図１に設置された虹彩認識カメラ（図１の１１）に照明（図１３）をオン/オフすることで、瞳孔が閉じたり開いたりすることを説明するための図面である。
【００３０】
図３において、撮影された左側の虹彩イメージは照明のオフ状態で虹彩を撮影しており、照明のオン状態で撮影した右側の虹彩イメージにおける瞳孔の直径より多きいことが分かる。
【００３１】
より具体的に、本発明による虹彩認識カメラはカメラの前面に設置された照明を虹彩を撮影する間に設定された周期でオン/オフさせて周りの明るさを変化させ、その変化によって瞳孔の大きさが異なる。
【００３２】
照明をオン/オフすることによる瞳孔の半径Ｐｒと虹彩の半径Ｉｒの変化率を計算して、偽造された虹彩であるかどうかを確認できる。
【００３３】
人間の目の場合、虹彩の外径は照明によってほとんど変わらないが、瞳孔の外径は大きく変化する。
【００３４】
設定された周期における瞳孔の半径Ｐｒと虹彩の半径Ｉｒの変化率は
瞳孔と虹彩の半径比率＝Ｐｒ／Ｉｒ
であり、偽造された目の場合、照明の変化による瞳孔の大きさの変化がなく、瞳孔と虹彩の半径比の変化がない。
【００３５】
誤差を減らすためには、設定された周期で照明をオン/オフさせながら、瞳孔と虹彩の半径比を繰り返して測定するのが好ましい。
【００３６】
撮影された虹彩イメージがユーザのものであると判断された場合、生きている人間の目であるかどうかを判断するために撮影された虹彩イメージの中で鮮明なものを選択して虹彩認識に使用するように構成することができる。
【００３７】
本発明による虹彩認識カメラの前面に設置されたIR LEDを用いて虹彩と瞳孔に照射すると、虹彩と瞳孔にIR LED照明が反射され、その反射された部分が白く撮影される。
【００３８】
印刷された虹彩イメージや虹彩画像の場合、IR LED照明が反射されない。これで生きている人間の虹彩であるかどうかを判断することができる。
【００３９】
図４は本発明による虹彩認識カメラのもう一つの実施を図示したものであり、虹彩認識カメラの前面に２つのIR LED照明が設置されている。
【００４０】
虹彩及び瞳孔に反射されるように虹彩認識カメラの前面または隣接して設けられた１つまたは複数のIR LED照明を設定された周期でオン/オフしながら虹彩を撮影し、撮影される虹彩イメージが生きている人間の虹彩であるかどうかを虹彩及び/又は瞳孔に反射されたIR LEDの個数変化または位置変化を認識して判断する。
【００４１】
より具体的に、
ａ）カメラの前面または隣接して設置された一つまたは複数のIR LED照明を設定された周期でオン/オフしながら虹彩を撮影し、撮影された虹彩イメージの虹彩と瞳孔に反射されたIR LEDの個数が反復的に変わるのかを確認する。
ｂ）カメラの前面または隣接して設置された一つまたは複数のIR LED照明を設定された周期でオン/オフしながら虹彩を撮影し、撮影された虹彩イメージの虹彩と瞳孔に反射されたIR LEDの個数がIR LED照明がオン/オフするように設定された周期と同期化して変わるのかを確認する。
ｃ）カメラの前面または隣接して設置された複数のIR LED照明を設定された周期でオン/オフしながら虹彩を撮影し、撮影された虹彩イメージの虹彩及び瞳孔に反射されたIR LEDの位置が左または右または左右両側に反復的に変わるのかを確認する。
ｄ）カメラの前面または隣接して設置された複数のIR LED照明を設定された周期でオン/オフしながら虹彩を撮影し、撮影された虹彩イメージの虹彩及び瞳孔に反射されたIR LEDの位置が左または右または左右両側にIR LED照明がオン/オフするように設定された周期と同期化して現れるかを確認する。
【００４２】
図５はIR LED照明を設定された周期でオン/オフしながら虹彩を撮影して得られた虹彩イメージであり、虹彩及び/又は瞳孔に反射されたIR LEDが一つまたは二つ現れた形状を撮影したものである。
【００４３】
次は、IR LED照明を用いてオン/オフし、オン/オフに使われるパルス信号を用いて生きている人間の虹彩であるかどうかを判断する手段について説明する。
【００４４】
図６は本発明による虹彩認識カメラの前面に設置されたIR LED照明を動作させるための信号であり、規則的な周期のパルス波形を図示したものである。
【００４５】
図７はIR LED照明を動作させるための信号であり、不規則的な周期のパルス波形を図示したものである。
【００４６】
図８は２つのIR LED照明を動作させるための信号であり、規則的な周期の各々のパルス波形を図示したものである。
【００４７】
図９は２つのIR LED照明を動作させるための信号であり、不規則的な周期の各々のパルス波形を図示したものである。
【００４８】
通常の虹彩認識カメラは１秒当たり２０乃至６０フレームの虹彩イメージを撮影獲得することができ、撮影の際に獲得される虹彩イメージに現れる反射されたIR LEDの持続時間を測定できるように構成されている。
【００４９】
虹彩認識カメラのこのような特性を利用してIR LED照明を動作させるためのパルス信号の周期を虹彩イメージフレームから測定されたIR LEDが反射されたイメージ周期と比較して生きている人間の虹彩及び/又は偽造された虹彩であるかどうかを判断するか、もしくはIR LED照明に供給されたパルス信号のオン時間またはオフ時間と撮影された虹彩イメージフレームから虹彩及び/又は瞳孔にIR LEDが反射されたイメージの持続時間及びIR LEDが反射されていないイメージの持続時間を比較して、同一である場合には生きている人間の虹彩であると判断し、異なる場合には偽造された虹彩であると判断する手段を含むことができる。
【００５０】
つまり、図６乃至図９に図示されたパルス信号を供給してIR LED照明をオン/オフする時間と、撮影された虹彩イメージフレームから反射されたIR LED照明の持続時間を互いに比較して、一致する場合には生きている人間の虹彩であると判断し、そうでない場合には偽造された虹彩イメージであると判断する手段を含むことができる。
【００５１】
２つ以上のIR LED照明を使用すると、各々のLEDに対するパルス信号と各々のIR LED照明の持続時間を一緒に比較して生きている人間の虹彩であるかどうかに対する判別率を高めることができる。
【００５２】
IR LED照明を駆動する際に、IR LED照明のオン時間を虹彩認識のために虹彩を撮影する虹彩認識カメラのフレームより長く、もしくは短く形成することができるが、長く形成した方が生きている人間の虹彩であるかどうかの判断が容易である。
【００５３】
図１０は目の瞬きによる虹彩領域の大きさの変化を撮影したものである。
【００５４】
本発明による虹彩認識カメラには、虹彩イメージを撮影する際に案内LEDを設置するか、もしくは案内音を発生する音声案内機を含む外部信号発生装置を設置して、設定された周期の間にユーザが瞬きをするように案内しながら虹彩を撮影するように構成することができる。
【００５５】
例えば、ユーザが虹彩識別のために撮影しようとするときに、案内LEDを点滅させてユーザが瞬きをするように誘導することである。
【００５６】
案内LEDまたは音声案内機から発生する案内音に従って、ユーザが瞬きをしながら虹彩を撮影する場合に撮影された虹彩イメージ領域の大きさが変化し、変化された虹彩イメージの領域を計算して生きている人間の虹彩であるか偽造された虹彩であるかを確認することである。
【００５７】
計算の結果、撮影された虹彩イメージ領域が変化すれば生きている人間の虹彩であると判断し、そうでなければ偽造された虹彩であると判断する。
【００５８】
もちろん、虹彩認識手段と段階では、生きている人間の虹彩であるかどうかを判断して、そうであると判断されると生きている人間の虹彩であるかどうかを判断するために撮影された虹彩イメージの中で虹彩情報が多く含まれた虹彩イメージを選択して虹彩認識に用いるように構成することができる。
【００５９】
図１１は目の瞬きに対する生きている人間の目と偽造された目の虹彩領域の変化を図示したものである。
【００６０】
図１１において、生きている人間の目の場合、設定された時間内に瞬きをする際に虹彩領域が１〜０の間で激しく変化するのが確認できる。
【００６１】
図１１において、偽造された目の場合、設定された時間内に瞬きをする際に虹彩領域の変化がほとんどなく、１辺りにとどまっているため、偽造された目であることが確認できる。
【００６２】
図１２は凝視方向の差を撮影したものであり、正面注視と側面注視の凝視方向の差が確認できる。
【００６３】
図１３は本発明による虹彩認識カメラのもう一つの実施を図示したものであり、虹彩認識カメラの前面にIR LED照明と２つの案内LEDが設置されている。左右側に設置された案内LEDを点滅させて凝視方向を指示する。つまり、左側の案内LEDを点滅させて凝視方向を左側面に誘導するか、右側の案内LEDを点滅させて凝視方向を右側面に誘導する。左右側の案内LEDの点滅によって凝視方向が変化するかを確認し、生きている人間の虹彩であるかどうかを確認することができる。
【００６４】
また、カメラを用いて虹彩イメージの撮影時に音声案内機の案内音に沿ってユーザが凝視方向（視線）を変えるように構成して虹彩を撮影し、撮影された虹彩イメージに基づいて凝視方向が変化するかを計算し、その結果、凝視方向が変化した場合に生きている人間の虹彩であり、そうでない場合には偽造の虹彩であると判断するように構成されている。
【００６５】
前記凝視方向は正面及び上/下/左/右の４方向に動くように誘導して凝視方向が変化したかどうかを確認することができる。また、正面及び上/下/左/右の４方向のうち一方向のみに動くように誘導して凝視方向が変化したかどうかを確認することもできる。
【００６６】
前記照明、IR LED照明、案内LED及び音声案内機など、外部信号発生装置などの制御は、本発明によって設計製作された制御プログラムによって行われ、制御プログラムは虹彩認識カメラの制御部に内蔵されたメモリに搭載されている。
【００６７】
表１は本発明による生きている人間の虹彩と偽造の虹彩を判断するための手段及び段階を要約して示したものである。
【００６８】
本発明は表１のように照明を用いた周りの照度変化による虹彩と瞳孔の大きさの比率変化、虹彩及び/又は瞳孔に現れるIR LEDの数の変化と位置の変化、目の瞬きによる虹彩イメージ領域の変化及び凝視方向の変化のいずれかを使用して、生きている人間の虹彩イメージであるかどうかを判断するように構成されている。
【００６９】
【表１】
2016504660.tif 000003
【００７０】
表１に整理された構成に基づいて本発明を説明する。
【００７１】
本発明による生きている人間の目の識別方法は、虹彩認識カメラの前面または一側に設けられた照明を設定された周期でオン/オフしながら虹彩を撮影する段階と、撮影された虹彩イメージから虹彩と瞳孔の大きさの比を計算する段階と虹彩と瞳孔の大きさの比率が変化されたときに生きている人間の目であると判断する段階を含むことができる。
【００７２】
本発明による生きている人間の目の識別方法のもう一つの実施例は、虹彩認識カメラの前面または一側に設けられたIR LED照明を設定された周期でオン/オフしながら虹彩を撮影する段階と、撮影された虹彩イメージから虹彩及び/又は瞳孔に反射されたIR LEDを認識する段階と、虹彩及び/又は瞳孔に反射されたIR LEDの個数の変化または位置変化を計算して生きている人間の目であると判断する段階を含むことできる。
【００７３】
本発明のもう一つの実施例は、カメラの前面または一側に設けられたLEDまたは案内音を発生する音声案内機など、外部信号発生装置を用いてユーザに目の瞬きを誘導しながら虹彩を撮影する段階と、撮影された虹彩イメージの虹彩領域の変化を計算する段階と、その結果、虹彩領域に変化があった場合に生きている人間の目であると判断する段階を含むことができる。
【００７４】
本発明のもう一つの実施例は、ユーザに凝視方向（視線）の動きを誘導しながら虹彩を撮影する段階と、撮影された虹彩イメージから凝視方向の変化を計算する段階と、その結果、凝視方向の変化があった場合に生きている人間の目であると判断する段階を含むことができる。
生きている人間の目であるかどうかを判断する確率を高めるために、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさが変化したときに生きている人間の目であると判断する段階と、IR LED照明を設定された周期でオン/オフしながら虹彩を撮影する段階と、撮影された虹彩イメージから虹彩及び／または瞳孔に反射されたIR LEDを認識する段階と、虹彩または瞳孔に反射されたIR LEDの数の変化または位置変化を計算して生きている人間の目であると判断する段階を含むことができる。
【００７５】
本発明のもう一つの実施例は、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさの比率が変化された場合に生きている人間の目であると判断する段階と、案内LED及び/又は案内音を発生する音声案内機など、外部信号発生装置を用いてユーザに目の瞬きを誘導しながら虹彩を撮影する段階と、撮影された虹彩イメージから虹彩領域の変化を計算する段階と、その結果、虹彩領域に変化があった場合に生きている人間の目であると判断する段階を含むことができる。
【００７６】
本発明のもう一つの実施例は、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさの比率が変化された場合に生きている人間の目であると判断する段階と、案内LED及び/又は案内音を発生する音声案内機など外部信号発生装置を用いてユーザに凝視方向の動きを誘導しながら虹彩を撮影する段階と、撮影された虹彩イメージから凝視方向の変化を計算する段階と、その結果、凝視方向に変化があった場合に生きている人間の目であると判断する段階を含むことができる。
【００７７】
本発明のもう一つの実施例は、カメラの前面または一側に設置されたIR LED照明を設定された周期でオン/オフしながら虹彩を撮影する段階と、撮影された虹彩イメージから虹彩及び/又は瞳孔に反射されたIR LEDを認識する段階と、虹彩及び/又は瞳孔に反射されたIR LEDの個数の変化または位置変化を計算して生きている人間の目であると判断する段階と、案内LED及び/又は案内音を発生する音声案内機など、外部信号発生装置を用いてユーザに目の瞬きを誘導しながら虹彩を撮影する段階と、撮影された虹彩イメージの虹彩領域の変化を計算する段階と、その結果、虹彩領域の変化があった場合に生きている人間の目であると判断する段階を含むことができる。
【００７８】
本発明のもう一つの実施例は、カメラの前面または一側に設置されたIR LED照明を設定された周期でオン/オフしながら虹彩を撮影する段階と、撮影された虹彩イメージから虹彩及び/又は瞳孔に反射されたIR LEDを認識する段階と、虹彩または瞳孔に反射されたIR LEDの個数の変化または位置変化を計算して生きている人間の目であると判断する段階と、案内LED及び/又は案内音を発生する音声案内機など、外部信号発生装置を用いてユーザに凝視方向の動きを誘導しながら虹彩を撮影する段階と、撮影された虹彩イメージから凝視方向の変化を計算する段階と、その結果、凝視方向に変化があった場合に生きている人間の目であると判断する段階を含むことができる。
【００７９】
本発明のもう一つの実施例は、案内LED及び/又は案内音を発生する音声案内機など、外部信号発生装置を用いてユーザに目の瞬きを誘導しながら虹彩を撮影する段階と、撮影された虹彩イメージの虹彩領域の変化を計算する段階と、その結果、虹彩領域に変化があった場合に生きている人間の目であると判断する段階と、案内LED及び/又は案内音を発生する音声案内機など、外部信号発生装置を用いてユーザに凝視方向の動きを誘導しながら虹彩を撮影する段階と、撮影された虹彩イメージから凝視方向の変化を計算する段階と、その結果、凝視方向に変化があった場合に生きている人間の目であると判断する段階を含むことができる。
【００８０】
本発明のもう一つの実施例は、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさの比率が変化したときに生きている人間の目であると判断する段階と、カメラの前面または一側に設置さsれたIR LED照明を設定された周期でオン/オフしながら虹彩を撮影する段階と、撮影された虹彩イメージから虹彩及び／または瞳孔に反射されたIR LEDの個数変化または位置変化を計算して生きている人間の目であると判断する段階と、案内LED及び/又は案内音発生機を用いてユーザに目の瞬きを誘導しながら虹彩を撮影する段階と、その結果、虹彩領域に変化があった場合に生きている人間の目であると判断する段階を含むことができる。
【００８１】
本発明のもう一つの実施例は、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさの比率が変化した時に生きている人間の目であると判断する段階と、カメラの前面または一側に設置されたIR LED照明を設定された周期でオン/オフしながら虹彩を撮影する段階と、撮影された虹彩イメージから虹彩及び/又は瞳孔に反射されたIR LEDを認識する段階と、虹彩及び/又は瞳孔に反射されたIR LEDの個数の変化または位置変化を計算して生きている人間の目であると判断する段階と、案内LED及び/又は案内音発生機など、外部信号発生装置を用いてユーザに凝視方向の動きを誘導しながら虹彩を撮影する段階と、撮影された虹彩イメージから凝視方向の変化を計算する段階と、その結果、凝視方向に変化があった場合に生きている人間の目であると判断する段階を含むことができる。
【００８２】
本発明のもう一つの実施例は、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさの比率が変化された場合に生きている人間の目であると判断する段階と、案内LED及び/又は案内音発生機を用いてユーザに目の瞬きを誘導しながら虹彩を撮影する段階と、撮影された虹彩イメージの虹彩領域の変化を計算する段階と計算の結果、虹彩領域の変化があった場合に生きている人間の目であると判断する段階と、案内LED及び/又は案内音発生機など外部信号発生装置を用いてユーザに凝視方向の動きを誘導しながら虹彩を撮影する段階と、撮影された虹彩イメージから凝視方向の変化を計算する段階と計算の結果、凝視方向に変化があった場合に生きている人間の目であると判断する段階を含むことができる。
【００８３】
本発明のもう一つの実施例は、カメラの前面または一側に設置されたIR LED照明を設定された周期でオン/オフしながら虹彩を撮影する段階と、撮影された虹彩イメージから虹彩及び/又は瞳孔に反射されたIR LEDを認識する段階と、虹彩及び/又は瞳孔に反射されたIR LEDの個数の変化または位置変化を計算して生きている人間の目であると判断する段階と、案内LED及び/又は案内音発生機など、外部信号発生装置を用いてユーザに目の瞬きを誘導しながら虹彩を撮影する段階と、撮影された虹彩イメージの虹彩領域の変化を計算する段階と、その結果、虹彩領域の変化があった場合に生きている人間の目であると判断する段階と、案内LED及び/又は案内音発生機など、外部信号発生装置を用いてユーザに凝視方向の動きを誘導しながら虹彩を撮影する段階と、撮影された虹彩イメージから凝視方向の変化を計算する段階と、その結果、凝視方向に変化があった場合に生きている人間の目であると判断する段階を含むことができる。
【００８４】
本発明のもう一つの実施例は、カメラの前面または一側に設置された照明を設定された周期でオン/オフしながら虹彩を撮影する段階と、撮影された虹彩イメージから虹彩と瞳孔の大きさの比を計算する段階と虹彩と瞳孔の大きさの比率が変化したときに生きている人間の目であると判断する段階と、カメラの前面または一側に設置されたIR LED照明を設定された周期でオン/オフしながら虹彩を撮影する段階と、撮影された虹彩イメージから虹彩及び/又は瞳孔に反射されたIR LEDを認識する段階と、虹彩及び/又は瞳孔に反射されたIR LEDの個数変化または位置変化を計算して生きている人間の目であると判断する段階と、案内LED及び/又は案内音発生機など、外部信号発生装置を用いてユーザに目の瞬きを誘導しながら虹彩を撮影する段階と、撮影された虹彩イメージの虹彩領域の変化を計算する段階と、その結果、虹彩領域に変化があった場合に生きている人間の目であると判断する段階と、案内LED及び/又は案内音発生機など、外部信号発生装置を用いてユーザに凝視方向の動きを誘導しながら虹彩を撮影する段階と、撮影された虹彩イメージから凝視方向の変化を計算する段階と、その結果、凝視方向に変化があった場合に生きている人間の目であると判断する段階を含むことができる。
【００８５】
本発明のもう一つの実施例は、虹彩及び瞳孔に反射されたIR LEDの個数変化の認識が虹彩イメージフレームから虹彩及び瞳孔に反射されたIR LEDの個数が反復的に変わるのかを確認することでなされる。
【００８６】
本発明のもう一つの実施例は、虹彩及び瞳孔に反射されたIR LEDの個数変化の認識が虹彩イメージフレームから虹彩及び瞳孔に反射されたIR LEDの個数がIR LED照明がオン/オフするように設定された周期と同期化して変わるのかを確認することでなされる。
【００８７】
本発明のもう一つの実施例は、虹彩及び瞳孔に反射されたIR LEDの位置変化の認識が、虹彩イメージフレームから虹彩及び同国に反射されたIR LEDの位置が左または右または左右両側が反復的に変わるのかを確認することでなされる。
【００８８】
本発明のもう一つの実施例は、虹彩及び瞳孔に反射されたIR LEDの位置変化の認識が、虹彩イメージフレームから虹彩及び同国に反射されたIR LEDの位置が左または右または左右両側にIR LED照明がオン/オフするように設定された周期と同期化して現れるのかを確認することでなされる。
【産業上の利用可能性】
【００８９】
本発明は虹彩認識カメラで撮影する際に、生きている人間の虹彩であるかどうかを判断するために虹彩認識カメラの前面または一側にIR LED照明と周囲の照度を変化させるための照明を設置して、周囲照度の変化による虹彩と瞳孔の大きさの比率変化と、目の瞬きによる虹彩イメージ領域の変化及び凝視方向の変化のいずれか一つ以上を用いて、虹彩が生きている人間のものであるかどうかを判断する、生きている人間の目の識別方法及び装置を提供して偽造を防止できるため、産業上の利用可能性が非常に高い。
【符号の説明】
【００９０】
１１；虹彩認識カメラ        １２；カメラレンズ
１３；IR LED                １４；照明
２１；虹彩                  ２２；瞳孔
４１；虹彩認識カメラ        ４２；カメラレンズ
４３；IR LED（１）          ４４；IR LED（２）
Ｐｒ；瞳孔の半径            Ｉｒ；虹彩の半径
１３１；虹彩認識カメラ      １３２；カメラレンズ
１３３；案内LED（１）      １３４；案内LED（２）
１３５；IR LED
【図１】
2016504660.tif 000004
【図２】
2016504660.tif 000005
【図３】
2016504660.tif 000006
【図４】
2016504660.tif 000007
【図５】
2016504660.tif 000008
【図６】
2016504660.tif 000009
【図７】
2016504660.tif 000010
【図８】
2016504660.tif 000011
【図９】
2016504660.tif 000012
【図１０】
2016504660.tif 000013
【図１１】
2016504660.tif 000014
【図１２】
2016504660.tif 000015
【図１３】
2016504660.tif 000016
【手続補正書】
【提出日】平成27年5月20日(2015.5.20)
【手続補正１】
【補正対象書類名】明細書
【補正対象項目名】００２７
【補正方法】変更
【補正の内容】
【００２７】
つまり、本発明による生きている人間の目を認識できる虹彩認識カメラ（図１の１１）は、通常の虹彩認識のために用いられるカメラの前面に生きている人間の虹彩であるかどうかを判断するために必要とする照明（図１の１３）とIR LED（図１の１４）が追加で設置された構成である。
【手続補正２】
【補正対象書類名】明細書
【補正対象項目名】００２９
【補正方法】変更
【補正の内容】
【００２９】
図２は図１に設置された虹彩認識カメラ（図１の１１）に照明（図１の１３）をオン/オフすることで、瞳孔が閉じたり開いたりすることを説明するための図面である。
【国際調査報告】
2016504660.tif 000017
2016504660.tif 000018
2016504660.tif 000019
2016504660.tif 000020